【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
方法であって、
ビーコンメッセージを、第１のデバイスから、送信することと、ここにおいて、前記ビーコンメッセージは、ワイヤレスで送信される、
前記ビーコンメッセージへの第１の応答を、個人識別デバイスから、前記第１のデバイスで、受信することと、ここにおいて、前記第１の応答は、前記個人識別デバイスと関連付けられた１つ以上の識別値を含む、
識別サービスと通信することと、ここにおいて、前記通信することは、
前記識別サービスと関連付けられたコンピューティングシステムに、前記個人識別デバイスと関連付けられた前記１つ以上の識別値を、前記第１のデバイスから、送信することと、
前記コンピューティングシステムから、第２の応答を、前記第１のデバイスで、受信することと、ここにおいて、前記第２の応答は、前記個人識別デバイスが認証されたことのインジケーション、および前記個人識別デバイスと関連付けられたデータからなるグループから選択された少なくとも１つのメンバを含む、
を備え、
前記コンピューティングシステムから受信された前記第２の応答に、少なくとも部分的に基づいて、前記個人識別デバイスと関連付けられた第２のデバイスを、前記第１のデバイスが、決定することと、
前記識別サービスと通信した後、前記第２のデバイスと通信することと、
前記個人識別デバイスを認証することと、ここにおいて、前記認証することは、前記コンピューティングシステムから受信された前記第２の応答、および前記第２のデバイスと前記通信することに、少なくとも部分的に、基づく、
を備える、方法。
【請求項２】
前記第１のデバイスと前記個人識別デバイス間の距離を決定することをさらに備え、
ここにおいて、前記認証することはさらに、前記第１のデバイスと前記個人識別デバイス間の前記決定された距離に、少なくとも部分的に、基づく、請求項１に記載の方法。
【請求項３】
前記第１のデバイスと前記個人識別デバイス間の前記距離は、前記第１のデバイスと前記個人識別デバイス間を移動するためのデータに関する飛行の時間に、少なくとも部分的に、基づいて決定される、請求項２に記載の方法。
【請求項４】
前記第１のデバイスと前記個人識別デバイス間の前記距離が、所定の距離内であることを決定することをさらに備え、
ここにおいて、前記個人識別デバイスを前記認証することはさらに、前記第１のデバイスと前記個人識別デバイス間の前記距離が、前記所定の距離内であることを前記決定することに、少なくとも部分的に、基づく、請求項２に記載の方法。
【請求項５】
前記個人識別デバイスと関連付けられた前記データは、前記第２のデバイスのインジケーションを備える、請求項１に記載の方法。
【請求項６】
前記個人識別デバイスと関連付けられた前記１つ以上の識別値を、前記コンピューティングシステムで、受信することと、
前記個人識別デバイスと関連付けられた前記１つ以上の識別値を、前記コンピューティングシステムで、検証することと、
前記第２の応答を、前記コンピューティングシステムから、送信することと、
をさらに備える、請求項１に記載の方法。
【請求項７】
第１の認証トークンを、前記第１のデバイスで、生成することと、ここにおいて、前記第１の認証トークンは、前記個人識別デバイスと関連付けられた前記１つ以上の識別値とともに前記コンピューティングシステムに送信される、
第２の認証トークンを、前記コンピューティングシステムから、受信することと、
をさらに備え、
ここにおいて、前記個人識別デバイスを前記認証することはさらに、前記第１の認証トークンが、前記第２の認証トークンと一致することを決定することを備える、請求項１に記載の方法。
【請求項８】
前記１つ以上の識別値は、暗号化された識別値および暗号化されていない識別値からなるグループから選択された少なくとも１つのメンバを含む、請求項１に記載の方法。
【請求項９】
前記暗号化された識別値は、前記個人識別デバイスと関連付けられた公開キーで暗号化されたランダム値を含む、請求項８に記載の方法。
【請求項１０】
前記個人識別デバイスと関連付けられた認証データを、前記第１のデバイスで、受信することをさらに備え、
ここにおいて、前記個人識別デバイスを前記認証することはさらに、前記認証データに、少なくとも部分的に、基づく、請求項１に記載の方法。
【請求項１１】
前記認証データは、パスワードおよびバイオメトリックデータからなるグループから選択された少なくとも１つのメンバを備える、請求項１０に記載の方法。
【請求項１２】
前記第１のデバイスと前記第２のデバイス間の距離を決定することをさらに備え、
ここにおいて、前記個人識別デバイスを前記認証することはさらに、前記第１のデバイスと前記第２のデバイス間の前記距離に、少なくとも部分的に、基づく、請求項１に記載の方法。
【請求項１３】
前記個人識別デバイスと前記第２のデバイス間の距離を決定することをさらに備え、
ここにおいて、前記個人識別デバイスを前記認証することはさらに、前記個人識別デバイスと前記第２のデバイス間の前記距離に、少なくとも部分的に、基づく、請求項１に記載の方法。
【請求項１４】
前記第２のデバイスは、携帯電話である、請求項１に記載の方法。
【請求項１５】
前記第１のデバイスから前記ビーコンメッセージを、前記個人識別デバイスで、受信することと、
前記第１のデバイスから前記ビーコンメッセージを、前記個人識別デバイスで、前記受信することに応答して、前記ビーコンメッセージへの前記第１の応答を、前記個人識別デバイスで、生成することと、
前記第１の応答を、前記個人識別デバイスから、送信することと、
をさらに備える、請求項１に記載の方法。
【請求項１６】
前記ビーコンメッセージへの前記第１の応答を、前記個人識別デバイスで、前記生成することは、少なくとも１つの識別値を暗号化することを備え、ここにおいて、前記個人識別デバイスと関連付けられた前記１つ以上の識別値は、前記少なくとも１つの暗号化された識別値を備える、請求項１５に記載の方法。
【請求項１７】
第３のデバイスと通信すること、ここにおいて、前記第３のデバイスは、前記個人識別デバイスと関連付けられる、
をさらに備え、
ここにおいて、前記認証することはさらに、前記第３のデバイスと前記通信することに、少なくとも部分的に、基づく、請求項１に記載の方法。
【請求項１８】
デバイスであって、
メモリと、
前記メモリと結合されるプロセッサであって、
ビーコンメッセージを送信することと、ここにおいて、前記ビーコンメッセージは、ワイヤレスで送信される、
個人識別デバイスから、前記ビーコンメッセージへの第１の応答を受信することと、ここにおいて、前記第１の応答は、前記個人識別デバイスと関連付けられた１つ以上の識別値を含む、
識別サービスと通信することと、ここにおいて、前記プロセッサは、
前記識別サービスと関連付けられたコンピューティングシステムに、前記個人識別デバイスと関連付けられた前記１つ以上の識別値を送信することと、
前記コンピューティングシステムから、第２の応答を受信することと、ここにおいて、前記第２の応答は、前記個人識別デバイスが認証されたことのインジケーション、および前記個人識別デバイスと関連付けられたデータからなるグループから選択された少なくとも１つのメンバを含む、
を行うように構成されることによって、前記識別サービスと通信するように構成され、
前記コンピューティングシステムから受信された前記第２の応答に、少なくとも部分的に基づいて、前記個人識別デバイスと関連付けられた二次個人識別デバイスを決定することと、
前記識別サービスと通信した後、前記二次個人識別デバイスと通信することと、
前記個人識別デバイスを認証することと、ここにおいて、前記認証は、前記コンピューティングシステムから受信された前記第２の応答、および前記二次個人識別デバイスと前記通信することに、少なくとも部分的に、基づく、
を行うように構成されるプロセッサと、
を備える、デバイス。
【請求項１９】
前記プロセッサは、
前記個人識別デバイスおよび前記二次個人識別デバイスからなるグループから選択された少なくとも１つのメンバと前記デバイス間の距離を決定するようにさらに構成され、
ここにおいて、前記個人識別デバイスを前記認証することはさらに、前記個人識別デバイスおよび前記二次個人識別デバイスからなるグループから選択された少なくとも１つのメンバと前記デバイス間の前記距離の前記決定に、少なくとも部分的に、基づく、請求項１８に記載のデバイス。
【請求項２０】
前記個人識別デバイスおよび前記二次個人識別デバイスのうちの少なくとも１つと前記デバイス間の前記距離は、前記個人識別デバイスおよび前記二次個人識別デバイスのうちの少なくとも１つと前記デバイス間を移動するためのデータに関する飛行の時間に、少なくとも部分的に、基づいて決定される、請求項１９に記載のデバイス。
【請求項２１】
前記プロセッサは、
前記個人識別デバイスおよび前記二次個人識別デバイスのうちの少なくとも１つと前記デバイス間の前記距離が、所定の距離内であることを決定するようにさらに構成され、
ここにおいて、前記個人識別デバイスの前記認証はさらに、前記個人識別デバイスおよび前記二次個人識別デバイスのうちの少なくとも１つと前記デバイス間の前記距離が、前記所定の距離内である前記決定に、少なくとも部分的に、基づく、請求項１９に記載のデバイス。
【請求項２２】
前記プロセッサは、
前記個人識別デバイスと前記二次個人識別デバイス間の距離を決定するようにさらに構成され、
ここにおいて、前記個人識別デバイスを前記認証することはさらに、前記個人識別デバイスと前記二次個人識別デバイス間の前記距離の前記決定に、少なくとも部分的に、基づく、請求項１８に記載のデバイス。
【請求項２３】
前記個人識別デバイスと関連付けられた前記データは、前記二次個人識別デバイスのインジケーションを備える、請求項１９に記載のデバイス。
【請求項２４】
前記プロセッサは、
前記個人識別デバイスと関連付けられた認証データを受信するようにさらに構成され、
ここにおいて、前記個人識別デバイスの前記認証はさらに、前記認証データに、少なくとも部分的に、基づく、請求項１８に記載のデバイス。
【請求項２５】
前記認証データは、パスワードおよびバイオメトリックデータからなるグループから選択された少なくとも１つのメンバを備える、請求項２４に記載のデバイス。
【請求項２６】
命令を記憶した非一時的な機械可読記憶媒体であって、それは、第１のデバイスの１つ以上のプロセッサによって実行されるとき、前記第１のデバイスに、
ビーコンメッセージを送信することと、ここにおいて、前記ビーコンメッセージは、ワイヤレスで送信される、
個人識別デバイスから、前記ビーコンメッセージへの第１の応答を受信することと、ここにおいて、前記第１の応答は、前記個人識別デバイスと関連付けられた１つ以上の識別値を含む、
識別サービスと通信することと、ここにおいて、前記通信することは、
前記識別サービスと関連付けられたコンピューティングシステムに、前記個人識別デバイスと関連付けられた前記１つ以上の識別値を送信することと、
前記コンピューティングシステムから、第２の応答を受信することと、ここにおいて、前記第２の応答は、前記個人識別デバイスが認証されたことのインジケーション、および前記個人識別デバイスと関連付けられたデータからなるグループから選択された少なくとも１つのメンバを含む、
を備え、
前記コンピューティングシステムから受信された前記第２の応答に、少なくとも部分的に基づいて、前記個人識別デバイスと関連付けられた第２のデバイスを決定することと、
前記識別サービスと通信した後、前記第２のデバイスと通信することと、
前記個人識別デバイスを認証することと、ここにおいて、前記認証することは、前記コンピューティングシステムから受信された前記第２の応答、および前記第２のデバイスと前記通信することに、少なくとも部分的に、基づく、
を備えるオペレーションを実行させる、非一時的な機械可読記憶媒体。
【請求項２７】
前記オペレーションは、前記第１のデバイスと前記個人識別デバイス間の距離を決定することをさらに備え、ここにおいて、前記認証することはさらに、前記第１のデバイスと前記個人識別デバイス間の前記決定された距離に、少なくとも部分的に、基づく、請求項２６に記載の非一時的な機械可読記憶媒体。
【請求項２８】
前記第１のデバイスと前記個人識別デバイス間の前記距離は、前記第１のデバイスと前記個人識別デバイス間を移動するためのデータに関する飛行の時間に、少なくとも部分的に、基づいて決定される、請求項２７に記載の非一時的な機械可読記憶媒体。
【請求項２９】
前記オペレーションは、
前記第１のデバイスと前記個人識別デバイス間の前記距離が、所定の距離内であることを決定することをさらに備え、
ここにおいて、前記個人識別デバイスを前記認証することはさらに、前記第１のデバイスと前記個人識別デバイス間の前記距離が、前記所定の距離内であることを前記決定することに、少なくとも部分的に、基づく、請求項２７に記載の非一時的な機械可読記憶媒体。
【請求項３０】
前記個人識別デバイスと関連付けられた前記データは、前記第２のデバイスのインジケーションを備える、請求項２６に記載の非一時的な機械可読記憶媒体。
【請求項３１】
前記オペレーションは、
第１の認証トークンを生成することと、ここにおいて、前記第１の認証トークンは、前記個人識別デバイスと関連付けられた前記１つ以上の識別値とともに前記コンピューティングシステムに送信される、
第２の認証トークンを受信することと、
をさらに備え、
ここにおいて、前記個人識別デバイスを前記認証することはさらに、前記第１の認証トークンが、前記第２の認証トークンと一致することを決定することを備える、請求項２６に記載の非一時的な機械可読記憶媒体。
【請求項３２】
前記オペレーションは、
前記個人識別デバイスと関連付けられた認証データを受信することをさらに備え、
ここにおいて、前記個人識別デバイスを前記認証することはさらに、前記認証データに、少なくとも部分的に、基づく、請求項２６に記載の非一時的な機械可読記憶媒体。
【請求項３３】
前記認証データは、パスワードおよびバイオメトリックデータからなるグループから選択された少なくとも１つのメンバを備える、請求項３２に記載の非一時的な機械可読記憶媒体。
【請求項３４】
前記オペレーションは、
前記第１のデバイスと前記第２のデバイス間の距離を決定することをさらに備え、
ここにおいて、前記個人識別デバイスを前記認証することはさらに、前記第１のデバイスと前記第２のデバイス間の前記距離に、少なくとも部分的に、基づく、請求項２６に記載の非一時的な機械可読記憶媒体。
【請求項３５】
前記オペレーションは、
前記個人識別デバイスと前記第２のデバイス間の距離を決定することをさらに備え、
ここにおいて、前記個人識別デバイスを前記認証することはさらに、前記個人識別デバイスと前記第２のデバイス間の前記距離に、少なくとも部分的に、基づく、請求項２６に記載の非一時的な機械可読記憶媒体。
【請求項３６】
システムであって、
認証クエリに応答するように構成される第１の個人識別デバイスと、ここにおいて、前記第１の個人識別デバイスは、ユーザと関連付けられる、
前記第１の個人識別デバイスを検出することと、
第２の個人識別デバイスを決定するために、識別サービスと通信することと、ここにおいて、前記第２の個人識別デバイスは、前記ユーザと関連付けられる、
を行うように構成される個人識別デバイス検出器と、
前記識別サービスを備える識別サーバと、前記識別サーバは、
前記個人識別デバイス検出器から、前記第１の個人識別デバイスと関連付けられた認証データを受信することと、
前記第１の個人識別デバイスと関連付けられた前記認証データに、少なくとも部分的に基づいて、前記第１の個人識別デバイスを認証することと、
前記第１の個人識別デバイスが認証されていることのインジケーションを、前記個人識別デバイス検出器に、送信することと、
を行うように構成され、
前記個人識別デバイス検出器であって、
前記第１の個人識別デバイスが認証されていることの前記インジケーションを受信することと、
前記第１の個人識別デバイスが認証されていることの前記インジケーションの受信の後、前記第２の個人識別デバイスと通信することと、
前記第１の個人識別デバイスが認証されていることの前記インジケーションの前記受信、および第２の個人識別デバイスと前記通信することに、少なくとも部分的に、基づいて前記第１の個人識別デバイスを認証することと、
を行うようにさらに構成される前記個人識別デバイス検出器と、
を備える、システム。
【請求項３７】
前記第１の個人識別デバイスが認証されたことの前記インジケーションは、前記第２の個人識別デバイスのインジケーションを含む、請求項３６に記載のシステム。
【請求項３８】
前記個人識別デバイス検出器と通信するように構成される前記第２の個人識別デバイスをさらに備え、ここにおいて、前記個人識別デバイス検出器との前記通信は、前記第１の個人識別デバイスを認証するために使用される、請求項３６に記載のシステム。
【請求項３９】
前記第１の個人識別デバイスは、前記第２の個人識別デバイスと前記個人識別デバイス検出器間の通信を中継する、請求項３８に記載のシステム。
【請求項４０】
前記第１の個人識別デバイスは、
前記第２の個人識別デバイスに１つ以上のオペレーションのセットを委任するようにさらに構成され、
ここにおいて、前記第２の個人識別デバイスは、
前記第１の個人識別デバイスから１つ以上のオペレーションの前記セットのインジケーションを受信することと、
１つ以上のオペレーションの前記セットを実行することと、
前記第１の個人識別デバイスおよび前記個人識別デバイス検出器のうちの１つに１つ以上のオペレーションの前記セットの結果を送信することと、
を行うようにさらに構成される、請求項３８に記載のシステム。
【請求項４１】
１つ以上のオペレーションの前記セットは、認証関連データを暗号化すること、および前記認証関連データを送信することからなるグループから選択された少なくとも１つのメンバを備える、請求項４０に記載のシステム。
【請求項４２】
第３の個人識別デバイスをさらに備え、ここにおいて、前記個人識別デバイス検出器は、前記第３の個人識別デバイスと通信することに、少なくとも部分的に、基づいて前記第１の個人識別デバイスを認証するようにさらに構成される、請求項３６に記載のシステム。